(57)【要約】【課題】安価な費用で、且つ海域の潮流を変化させることなく、さらに食害に遭遇する恐れを減少させることができる藻場の造成方法を提供することである。【解決手段】紐部材または糸部材１１に海藻３０の胞子を着生させ、該着生させた胞子を幼体３１へと発芽させ、該発芽させた幼体３１を有する紐部材または糸部材１１を木片１２に固着させ、該幼体３１を中間体３２へと育成させ、該育成させた中間体３２を自然石１３に固着させ、該自然石１３を所望する海域へ沈設させ、該沈設させた自然石１３に固着された中間体３２を成熟体３３へと育成させる。【選択図】図７
2008061574.tif 000002
【特許請求の範囲】
【請求項１】
紐部材または糸部材に海藻の胞子を着生させ、
該着生させた胞子を幼体へと発芽させ、
該発芽させた幼体を有する紐部材または糸部材を木片に固着させ、
該幼体を中間体へと育成させ、
該育成させた中間体を自然石に固着させ、
該自然石を所望する海域へ沈設させ、
該沈設させた自然石に固着された中間体を成熟体へと育成させる藻場の造成方法。
【請求項２】
請求項１に記載の藻場の造成方法であって、
前記自然石に固着されている成熟体を該自然石から間引きし、
該間引きした成熟体を異なる自然石に固着させ、
該自然石を所望する海域へ沈設させる藻場の造成方法。
【発明の詳細な説明】
【技術分野】
【０００１】
本発明は、藻場の造成方法に関し、詳しくは、アワビ、サザエ等の魚介類の餌料となる海藻類を中心とした藻場の造成方法に関する。
【背景技術】
【０００２】
この種の藻場の造成方法として、例えば、図９に示す技術が既に知られている。この技術では、市販されている海藻苗付プレートを表面に固着させたコンクリートブロック等の造成用構造物を対象となる海域に沈設させ、その海藻苗付プレートから海藻が育成していくことで藻場が造成されている。
【０００３】
なお、この出願の発明に関連する先行技術文献情報としては、例えば、特許文献１が知られている。
【特許文献１】特開２００１−２９９１２８号公報
【発明の開示】
【発明が解決しようとする課題】
【０００４】
しかしながら、上述した藻場の造成方法では、コンクリートブロック等の造成用構造物を沈設させるため、造成費用が高価となっていた。また、大規模なコンクリートブロック等を沈設させると、沈設された海域の潮流が変化してしまうことがあった。また、海藻苗付プレートの海藻は幼体であるため、幼体から成熟体への育成過程で魚介類などに食べられる食害に遭遇する恐れがあった。
【０００５】
本発明は、このような課題を解決しようとするもので、その目的は、安価な費用で、且つ海域の潮流を変化させることなく、さらに食害に遭遇する恐れを減少させることができる藻場の造成方法を提供することである。
【課題を解決するための手段】
【０００６】
本発明は、上記の目的を達成するためのものであって、以下のように構成されている。
請求項１に記載の発明は、紐部材または糸部材に海藻の胞子を着生させ、該着生させた胞子を幼体へと発芽させ、該発芽させた幼体を有する紐部材または糸部材を木片に固着させ、該幼体を中間体へと育成させ、該育成させた中間体を自然石に固着させ、該自然石を所望する海域へ沈設させ、該沈設させた自然石に固着された中間体を成熟体へと育成させる藻場の造成方法である。このとき、中間体を、ある一定期間、食外防止対策を施し成熟体へと育成させることが好ましい。
この方法によれば、藻場の造成において、安価な費用で、且つ海域の潮流を変化させることなく、さらに食害に遭遇する恐れを減少させることができる。
【０００７】
また、請求項２に記載の発明は、請求項１に記載の藻場の造成方法であって、前記自然石に固着されている成熟体を該自然石から間引きし、該間引きした成熟体を異なる自然石に固着させ、該自然石を所望する海域へ沈設させる藻場の造成方法である。
この方法によれば、成熟体の株分けをすることができるため、株分けした成熟体を使用して、短期間で多くの藻場を造成することができる。
【発明を実施するための最良の形態】
【０００８】
以下、本発明を実施するための最良の形態を、図１〜７を用いて説明する。図１は、本発明の藻場の造成方法に係る海藻３０の胞子をクレモナ糸に着生させる工程を説明する図である。図２は、図１の次工程であり、胞子を幼体３１へと発芽させる工程を説明する図である。図３は、図２の次工程であり、発芽させた幼体３１を有するクレモナ糸１１を木片１２に固着させる工程を説明する図である。図４は、図３の次工程であり、幼体３１を中間体３２へと育成させる工程を説明する図である。図５は、図４の工程で育成された中間体３２を説明する図である。図６は、図５の次工程であり、育成させた中間体３２を自然石１３に固着させる工程を説明する図である。図７は、図６の次工程であり、自然石１３を所望する海域へ沈設させる工程を説明する図である。
【０００９】
はじめに、四角枠状に形成された塩ビパイプ枠１０に糸部材であるクレモナ糸１１を巻き付ける。その状態で、塩ビパイプ枠１０を海藻３０であるアラメ成葉を入れた水槽２０に沈めて海藻３０の胞子（図示しない）をクレモナ糸１１に着生させる（図１参照）。
【００１０】
その後、塩ビパイプ枠１０を水槽２０から取り出し、取り出した塩ビパイプ枠１０を筏２１に吊るした状態で海中に投入する（図２参照）。３０日程度、塩ビパイプ枠１０を吊るしておくと、胞子は発芽して幼体３１となる。
【００１１】
その後、塩ビパイプ枠１０を海中から取り出して、発芽した幼体３１を有するクレモナ糸１１を２０ｃｍ程度に切り分け、切り分けたクレモナ糸１１を木片１２に固着させる（図３参照）。木片１２のサイズは、例えば、長さ２０ｃｍ、断面の縦横各１ｃｍ程度の角形状のものである。この固着は、例えば、ホッチキス等で固着させてもよいし、紐等で縛り付けてもよい。
【００１２】
その後、幼体３１を有する木片１２の両端を紐等で筏２１に吊るした状態で海中に投入する（図４参照）。６０日程度、木片１２を吊るしておくと、幼体３１育成され中間体３２となる（図５参照）。
【００１３】
その後、木片１２を海中から取り出して、育成された中間体３２を有する木片１２を針金１５で自然石１３の上面に固着させる。この固着を詳述すると、自然石１３には、予め、その上面にモルタル１４を転着させておき、転着させたモルタル１４内部に針金１５の一部を埋設させておく。そして、モルタル１４から露出した針金１５を使用して木片１２を自然石１３の上面に固着させている（図６参照）。ここで、自然石１３は藻場を造成させたい海域に沈められている石を使用することが好ましい。なぜなら、再度、この石は海へ戻されるためである。
【００１４】
その後、藻場を造成させた海域に、この自然石１３をダイバー等によって沈設させる（図７参照）。すると、自然石１３を着生床として、中間体３２は成熟体３３へと育成されていく。このとき、中間体３２を、ある一定期間（例えば、６月〜１０月の期間）、食外防止対策（例えば、網によって中間体３２覆う対策）を施し成熟体３３へと育成させることが好ましい。
【００１５】
このようにして、藻場を造成させると、以下（１）〜（５）に記す効果を有することになる。
（１）コンクリートブロック等の造成用構造物は不要であるため、造成費用が安価になる。材料のみあれば、漁業者達のみで実施できる。
（２）コンクリートブロック等の造成用構造物は不要であるため、藻場の海域の潮流が変化してしまうことはない。
（３）中間体３２まで育成してから、自然石１３を着生床として、成熟体３３へと育成されていくため、食害に遭遇する恐れが少ない。
（４）木片１２を使用して幼体３１を自然石１３に固着させているため、クレモナ糸１１を直接的に自然石１３に固着させる場合と比較すると、固着の接合度を向上させることができる。また、木片１２を使用しているため、環境に対する悪影響が無い。
（５）造成用構造物の代わりに自然石１３を使用しているため、環境に対する悪影響が無い。また、藻場を造成させたい海域の自然石１３を使用して藻場を造成させるため、環境に対する悪影響が無い。
【００１６】
なお、上記にて沈設された自然石１３に固着されている成熟体３３を該自然石１３から間引きし、その間引きした成熟体３３を、海藻３０が着生されていない自然石１３に接着剤１６で固着させ（図８参照）、その固着させた自然石１３をダイバー等によって沈設させてもよい。この接着剤１６は、水中でも使用可能な接着剤である。もちろん、自然石１３に限られることなく海藻３０が着生されていないコンクリートブロック等に固着させても構わない。このようにして、成熟体３３の株分けをすることができる。そのため、株分けした成熟体３３を使用して、短期間で多くの藻場を造成することができる。なぜなら、上記した図１〜図５の工程を省略することができるためである。
【００１７】
上述した内容は、あくまでも本発明の一実施の形態に関するものであって、本発明が上記内容に限定されることを意味するものではない。
実施例では、糸部材であるクレモナ糸１１を塩ビパイプ枠１０に巻き付ける構成を説明した。しかし、これに限定されるものでなく、紐部材を塩ビパイプ枠１０に巻き付ける構成であっても構わない。
【図面の簡単な説明】
【００１８】
【図１】図１は、本発明の藻場の造成方法に係る海藻３０の胞子をクレモナ糸に着生させる工程を説明する図である。
【図２】図２は、図１の次工程であり、胞子を幼体３１へと発芽させる工程を説明する図である。
【図３】図３は、図２の次工程であり、発芽させた幼体３１を有するクレモナ糸１１を木片１２に固着させる工程を説明する図である。
【図４】図４は、図３の次工程であり、幼体３１を中間体３２へと育成させる工程を説明する図である。
【図５】図５は、図４の工程で育成された中間体３２を説明する図である。
【図６】図６は、図５の次工程であり、育成させた中間体３２を自然石１３に固着させる工程を説明する図である。
【図７】図７は、図６の次工程であり、自然石１３を所望する海域へ沈設させる工程を説明する図である。
【図８】図８は、成熟体３３の株分けを説明する図である。
【図９】図９は、従来技術の藻場の造成方法を説明する図である。
【符号の説明】
【００１９】
１１    クレモナ糸（糸部材）
１２    木片
１３    自然石
３０    海藻
３１    幼体
３２    中間体
３３    成熟体
【図１】
2008061574.tif 000003
【図２】
2008061574.tif 000004
【図３】
2008061574.tif 000005
【図４】
2008061574.tif 000006
【図５】
2008061574.tif 000007
【図６】
2008061574.tif 000008
【図７】
2008061574.tif 000009
【図８】
2008061574.tif 000010
【図９】
2008061574.tif 000011